(57)【要約】【課題】  コンクリート躯体表面完成後の種々の工事の作業設備用のアンカーとして利用可能な型枠用セパレーター及びその使用方法を提供する。【解決手段】  アンカー作用を有する型枠用セパレーターが、セパレーター用丸棒部(2)と、セパレーター用丸棒部の一端と同軸上で連結された棒状のアンカー部(3)と、セパレーター用丸棒部の他端に取り付け可能なＰコン(5)と、アンカー部の他端に取り付け可能なアンカー取り付け用Ｐコン(4)と、アンカー取り付け用Ｐコンとの形状互換性をもちかつ該アンカー部の他端に脱着可能な脱着蓋(6)とを具備する。【選択図】  図６
2007070879.tif 000002
【特許請求の範囲】
【請求項１】
セパレーター用丸棒部(2)と、該セパレーター用丸棒部の一端と同軸上で連結された棒状のアンカー部(3)と、該セパレーター用丸棒部の他端に取り付け可能なＰコン(5)と、該アンカー部の他端に取り付け可能なアンカー取り付け用Ｐコン(4)と、該アンカー取り付け用Ｐコンとの形状互換性をもちかつ該アンカー部の他端に脱着可能な脱着蓋(6)とを具備することを特徴とする、アンカー作用を有する型枠用セパレーター。
【請求項２】
前記アンカー部の外周面上から外側へ突出する凸部(3b)を具備することを特徴とする、請求項１に記載のアンカー作用を有する型枠用セパレーター。
【請求項３】
セパレーター用丸棒部(2)と、該セパレーター用丸棒部の一端と同軸上で連結された棒状のアンカー部(3)と、該セパレーター用丸棒部の他端に取り付け可能なＰコン(5)と、該アンカー部の他端に取り付け可能なアンカー取り付け用Ｐコン(4)と、該アンカー取り付け用Ｐコンとの形状互換性をもちかつ該アンカー部の他端に脱着可能な脱着蓋(6)とを具備する、アンカー作用を有する型枠用セパレーターの使用方法において、
一対の型枠(9)間の間隔を一定に保持するべく前記型枠用セパレーターを該型枠間に固定し、コンクリートを打設する工程と、
前記コンクリートの養生後にコンクリート躯体表面を完成するべく、前記アンカー取り付け用Ｐコン(4)を取り外し、これにより露出した凹部に前記脱着蓋(6)を嵌着すると共に、前記セパレーター用丸棒部の他端における前記Ｐコン(5)を取り外し、これにより露出した凹部に穴埋め用モルタルを充填する工程とを有することを特徴とする、アンカー作用を有する型枠用セパレーターの使用方法。
【請求項４】
セパレーター用丸棒部(2)と、該セパレーター用丸棒部の一端と同軸上で連結された棒状のアンカー部(3)と、該セパレーター用丸棒部の他端に取り付け可能なＰコン(5)と、該アンカー部の他端に取り付け可能なアンカー取り付け用Ｐコン(4)と、該アンカー取り付け用Ｐコンとの形状互換性をもちかつ該アンカー部の他端に脱着可能な脱着蓋(6)とを具備する、アンカー作用を有する型枠用セパレーターの使用方法において、
一対の型枠(9)間の間隔を一定に保持するべく前記型枠用セパレーターを該型枠間に固定し、コンクリートを打設する工程と、
前記コンクリートの養生後にコンクリート躯体表面を完成するべく、前記アンカー取り付け用Ｐコン(4)を取り外し、これにより露出した凹部に前記脱着蓋(6)を嵌着すると共に、前記セパレーター用丸棒部の他端における前記Ｐコン(5)を取り外し、これにより露出した凹部に穴埋め用モルタルを充填する工程と、
前記コンクリート躯体表面の完成後における該コンクリート躯体表面上での工事の際において、前記脱着蓋(6)を取り外し、これにより露出した前記アンカー部(3)の他端に対し該工事に必要な作業用設備を取り付けてアンカーとして使用することを特徴とする、アンカー作用を有する型枠用セパレータの使用方法。
【請求項５】
前記脱着蓋(6)を嵌着する工程において、前記露出した凹部の内面と前記アンカー取り付け用Ｐコン(4)の外面との間に防水材(12、14)及び剥離シート(13)の各層を設けることを特徴とする、請求項３または４に記載のアンカー作用を有する型枠用セパレーターの使用方法。
【発明の詳細な説明】
【技術分野】
【０００１】
本発明は、新規な構成を有する下記に関するものである。
アンカー作用を有する型枠用セパレーターと、この型枠用セパレーターの使用方法に関する。
【背景技術】
【０００２】
型枠用セパレーターは、コンクリート型枠を構成する対向配置した一対の板状部材を所定の間隔を空けて固定するために用いられる。型枠セパレーターにより所定の間隔を規定された一対の板状部材の間にコンクリートが打設される。
【０００３】
従来の型枠用セパレーターは、所定寸法のセパレーター用金属丸棒の両端に取り付け取り外し自在にＰコン（締付部材）を取付けた状態となっている（例えば、特許文献１参照）
【０００４】
コンクリート打設後にコンクリート型枠を取り外し、Ｐコンをコンクリート躯体から取り除き、両端のＰコンが取り除かれた後に残る円錐台状の凹部にモルタル等を充填した後、コンクリート躯体の表面上に外装、内装等の仕上げが施される。
【特許文献１】特開平１０−１４８０３２号公報
【発明の開示】
【発明が解決しようとする課題】
【０００５】
従来の技術には、一応下記のような問題点を指摘することができる。
従来の型枠用セパレーターを用いて型枠を支持し、コンクリートを打設して例えばマンションなどの建物のコンクリート躯体を造り、この躯体に例えばタイル工事などの外装工事を行なう。この場合、型枠用セパレーターにおける横棒状セパレーター本体は、躯体内に埋設された状態となっている。そして、時間が経つと、タイルの張替えなどの再度の外装工事が必要になる。再度の外装工事を行なう場合、足場など作業用設備の設置が必要になる。この足場などの設置工事の際、躯体内部に入っている構造鉄筋をアンカーとして利用しようとすると、当該構造鉄筋を損傷したりすることが発生する。
【０００６】
そこで、足場などの設置工事のため新規のアンカーを設置しようとすると、新規のアンカーのためにコンクリート躯体に対する穿孔が必要になる。このような実態は、コンクリート躯体の保護の観点からみて無視できない状態である。
【０００７】
以上の現状に鑑み、本発明の目的は、コンクリート躯体表面完成後の種々の工事の作業設備用のアンカーとして利用可能な型枠用セパレーター及びその使用方法を提供することを目的とする。
【課題を解決するための手段】
【０００８】
本発明は、上述のような問題を解決するため、下記のようになるものである。
１）請求項１に係るアンカー作用を有する型枠用セパレーターは、セパレーター用丸棒部と、該セパレーター用丸棒部の一端と同軸上で連結された棒状のアンカー部と、該セパレーター用丸棒部の他端に取り付け可能なＰコンと、該アンカー部の他端に取り付け可能なアンカー取り付け用Ｐコンと、該アンカー取り付け用Ｐコンとの形状互換性をもちかつ該アンカー部の他端に脱着可能な脱着蓋とを具備ることを特徴とする。
【０００９】
２）請求項２に係るアンカー作用を有する型枠用セパレーターは、請求項１において、前記アンカー部の外周面上から外側へ突出する突起を具備することを特徴とする。
【００１０】
３）請求項３に係るアンカー作用を有する型枠用セパレーターの使用方法は、セパレーター用丸棒部と、該セパレーター用丸棒部の一端と同軸上で連結された棒状のアンカー部と、該セパレーター用丸棒部の他端に取り付け可能なＰコンと、該アンカー部の他端に取り付け可能なアンカー取り付け用Ｐコンと、該アンカー取り付け用Ｐコンとの形状互換性をもちかつ該アンカー部の他端に脱着可能な脱着蓋とを具備する、アンカー作用を有する型枠用セパレーターの使用方法において、
一対の型枠間の間隔を一定に保持するべく前記型枠用セパレーターを該型枠間に固定し、コンクリートを打設する工程と、
前記コンクリートの養生後にコンクリート躯体表面を完成するべく、前記アンカー取り付け用Ｐコンを取り外し、これにより露出した凹部に前記脱着蓋を嵌着すると共に、前記セパレーター用丸棒部の他端における前記Ｐコンを取り外し、これにより露出した凹部に穴埋め用モルタルを充填する工程とを有することを特徴とする。
【００１１】
４）請求項４に係るアンカー作用を有する型枠用セパレーターの使用方法は、セパレーター用丸棒部と、該セパレーター用丸棒部の一端と同軸上で連結された棒状のアンカー部と、該セパレーター用丸棒部の他端に取り付け可能なＰコンと、該アンカー部の他端に取り付け可能なアンカー取り付け用Ｐコンと、該アンカー取り付け用Ｐコンとの形状互換性をもちかつ該アンカー部の他端に脱着可能な脱着蓋とを具備する、アンカー作用を有する型枠用セパレーターの使用方法において、
一対の型枠間の間隔を一定に保持するべく前記型枠用セパレーターを該型枠間に固定し、コンクリートを打設する工程と、
前記コンクリートの養生後にコンクリート躯体表面を完成するべく、前記アンカー取り付け用Ｐコンを取り外し、これにより露出した凹部に前記脱着蓋を嵌着すると共に、前記セパレーター用丸棒部の他端における前記Ｐコンを取り外し、これにより露出した凹部に穴埋め用モルタルを充填する工程と、
前記コンクリート躯体表面の完成後における該コンクリート躯体表面上での工事の際において、前記脱着蓋を取り外し、これにより露出した前記アンカー部(3)の他端に対し該工事に必要な作業用設備を取り付けてアンカーとして使用することを特徴とする。
【００１２】
５）請求項５に係るアンカー作用を有する型枠用セパレーターの使用方法は、請求項３または４において、前記脱着蓋を嵌着する工程において、前記露出した凹部の内面と前記アンカー取り付け用Ｐコンの外面との間に防水材及び剥離シートの各層を設けることを特徴とする。
【発明の効果】
【００１３】
本発明は、上述のように構成されているので、下記のような効果を期待することができる。
（１）第1発明のアンカー作用を有する型枠用セパレーターを、従来の型枠用セパレーターと同様にコンクリート型枠の支持に使用した場合、アンカー部があっても従来の型枠用セパレータと同等の役割を果たすことができる。また、取り外したアンカー取り付け用Ｐコンの代替として脱着可能な形状互換性のある脱着蓋を装着するので、従来のＰコン除去後の凹部を充填した場合と同等のコンクリート躯体表面が得られる。また、脱着蓋を取り外せば、アンカー部をコンクリート躯体表面工事の作業設備設置用のアンカーとして利用することができる。
【００１４】
好適には、第１発明においてアンカー部の外周面上に突起を設けることにより、滑り止め効果及びコンクリートとの密着性を向上させ、アンカーとしての強度を増すことができる。
【００１５】
（２）第２発明のアンカー作用を有する型枠用セパレーターの使用方法によれば、従来のＰコン除去後の凹部を充填する手間とコストを省くことができる。加えて、従来のＰコン除去の凹部を充填した場合は、防水効果に難があったが、本発明では脱着蓋を装着するだけで防水効果を得ることができる。
【００１６】
（３）第３発明のアンカー作用を有する型枠用セパレーターの使用方法によれば、コンクリート躯体表面上の外装、内装等の補修や改修の際に、脱着蓋を取り外すことにより、コンクリート躯体表面工事の際の足場等、作業設備設置用のアンカーとして型枠用セパレーターのアンカー部を利用することができる。従って、構造鉄筋をアンカーとして用いて損傷することもなく、コンクリート躯体に穿孔する必要もない。この結果、コンクリート躯体の保護に寄与すると同時に、足場などを設ける作業も速やかかつ簡易に行うことができ、手間とコストを省くことができる。
【００１７】
好適には、第２発明及び第３発明において、脱着蓋と凹部との間に防水材及び剥離シートの各層を設けることで、防水効果をさらに高めると共に、脱着蓋を取り外す際の作業が容易となる。
【発明を実施するための最良の形態】
【００１８】
図面を参照して実施の形態の詳細を説明する。
図１は、第１発明のアンカーの作用を有する型枠用セパレーター１と、通常その両端に型枠を介して連結される公知のホームタイ８を示す展開側面図である。
【００１９】
型枠用セパレーター１の構成は、金属製のセパレーター用丸棒部２と、金属製のアンカー部３と、左方に位置するアンカー取り付け用Ｐコン４と、右方に位置するＰコン５と、脱着蓋６から構成されている。
【００２０】
図２(Ａ)は、図１のアンカー部３の外観斜視図であり、図２(Ｂ)は図２(Ａ)のＡ−Ａ断面図である。図３は、図１の脱着蓋６の外観斜視図であり、図４は、図１のアンカー取り付け用Ｐコン４の外観斜視図である。以下、図１〜図４を参照しつつ説明する。
【００２１】
図１に示すように、セパレーター用丸棒部２は、所定寸法に構成された丸棒体２ａの左右端部分にネジ山２ａ１、２ａ２が刻設されている。
【００２２】
図１及び図２(Ａ)に示すように、アンカー部３は、丸棒体２ａの直径より大きい直径に（すなわち太く）構成された丸棒体３ａの外周面に滑り止め及びコンクリートとの密着性向上のための凸部３ｂが設けられる。さらに、図１に示すように、アンカー部３の左方端面には左方のアンカー用Ｐコン４と螺合される左方のネジ穴３ｃが刻設されていると共に、丸棒体３ａにおける右方端面にはセパレーター用丸棒部２のネジ山２ａ１と螺合される右方のネジ穴３ｄが刻設されている。このように、アンカー部３の一端は、セパレーター用丸棒部２の一端と同軸上で連結される。
【００２３】
図２に示すように、アンカー部３の凸部３ｂは、丸棒体３ａにおける軸方向の突起３ｂ１と周方向の突起３ｂ２から構成されているが、凸部３ｂの具体的形状は一例である。なお、この丸棒体３ａには、公知の異型筋をそのまま使用するとコスト的によい。また、別の実施例として、アンカー部３に凸部３ｂを設けなくともよい。
【００２４】
また、アンカー部３における丸棒体３ａの外周面にはメッキ３ｅが施されていることが好適である。このメッキ３ｅは、アンカー部３に外気との接触面があるため防錆のために施す。
【００２５】
図４に示すように、アンカー取り付け用Ｐコン４は、公知のＰコンと同一構造の横向き円錐台状の皿状に構成された合成樹脂製のＰコン本体４ａと、Ｐコン本体４ａの中心に当該Ｐコン本体の口径が小さい側に内方（図１では右方）に向け突設された内方ネジ棒４ｂと、Ｐコン本体４ａの中心に当該Ｐコン本体４ａの口径が大きい側に外方（図１では左方）に向け突設された外方ネジ棒４ｃと、外方ネジ棒４ｃの根本部分に取り付けられたボルト４ｄから構成されている。図１に示すように、アンカー取り付け用Ｐコン４の内方ネジ棒４ｂは、アンカー部３における左方のネジ穴３ｃと螺合するよう構成されている。また、外方ネジ棒４ｃは、左方のホームタイ７と螺合するよう構成されている。
【００２６】
図１の実施例の場合、アンカー取り付け用Ｐコン４の内方ネジ棒４ｂの直径は、セパレーター用丸棒部２における丸棒体２ａや外方ネジ棒４ｃの直径より大きく（すなわち太く）なるように構成されている。
【００２７】
Ｐコン５は、公知のものである。すなわち、公知のＰコンと同一構造の横向き円錐台状の皿状に構成された合成樹脂製のＰコン本体５ａと、Ｐコン本体５ａの中心に当該Ｐコン本体の口径が小さい側に開設された内方の受けネジ穴５ｂと、Ｐコン本体５ａの中心に当該Ｐコン本体の口径が大きい側に外方（図１では右方）に向け突設された外方ネジ棒５ｃと、外方ネジ棒５ｃの根本部分に取り付けられたボルト５ｄから構成されている。
【００２８】
脱着蓋６は、公知のＰコンと同一構造の横向き円錐台状の皿状に構成されたＰコン本体６ａと、Ｐコン本体６ａの中心に当該Ｐコン本体の口径の小さい側（図１では右方）に内方に向け突設された内方ネジ棒６ｂと、Ｐコン本体６ａの中心に当該Ｐコン本体の口径の大きい側（図１では左方）に内設された外方ボルト６ｃから構成されている。脱着蓋６のＰコン本体６ａは、その外郭形状においてアンカー取り付け用Ｐコン４との形状互換性を有する。よって、アンカー取り付け用Ｐコン４の代替としてアンカー部３に取り付けることができる。
【００２９】
図１では、本発明の型枠用セパレーター１の両側に、公知の左方のホームタイ７と、右方のホームタイ８を示している。ホームタイ７は、アンカー取り付け用Ｐコン４の外方ネジ棒４ｃに螺合連結するネジ棒７ａと、このネジ棒７ａに対して移動自在に取り付けられた座金用金物７ｂと、この座金用金物を外方から締めるナット７ｃとから構成されている。一方、右方のホームタイ８は、アンカー取り付け用Ｐコーン４の外方ネジ棒４ｃに螺合連結するネジ棒８ａと、このネジ棒８ａに対して移動自在に取り付けられた座金用金物８ｂと、この座金用金物を外方から締めるナット８ｃとから構成されている。
【００３０】
なお、アンカー取り付け用Ｐコン４の外方ネジ棒４ｃと、Ｐコン５の外方ネジ棒５ｃとは同一寸法に構成されているので、左方のホームタイ７を右方のホームタイ８に代えて使用できる。
【００３１】
図５は、本発明の型枠用セパレーター１の他の実施例を示す図１と同様の展開側面図である。図５の実施例と図１の実施例との相違点は、図１のアンカー取り付け用Ｐコン４における内方ネジ棒４ｂの直径を、図３ではセパレーター用金属丸棒２の直径と同一のものである内方ネジ棒４ｂ１に構成した点である。また、図１の脱着蓋６における内方ネジ棒６ｂの直径を、図３ではセパレーター用金属丸棒２の直径と同一のものである内方ネジ棒６ｂ１に構成した点である。さらにまた、図１のアンカー部３における左方のネジ穴３ｃを、図３では内方ネジ棒４ｂ１と内方ネジ棒６ｂ１に螺合するネジ穴３ｃ１に構成した点である。
【００３２】
このように、図１のアンカー部３における左方のネジ穴３ｃの大きさは、後述するようにアンカーとして使用する際の必要な強度に応じて設定可能である。
【００３３】
第２発明は、第１発明のアンカーの作用を有する型枠用セパレーター１の使用方法に関するものである。図６、７、８、９を参照する。図中、符号９は型枠、符号１０は型枠を押さえる単管である。
【００３４】
図６の側面図及び図７の部分断面図に示すように、左方のホームタイ７と右方のホームタイ８を利用して、型枠９、９間に、アンカーの作用を有する型枠用セパレーター１を取り付けることにより型枠９、９を固定した後、コンクリート１６を打設する。なお、アンカー取り付け用Ｐコン４は、コンクリート躯体表面側すなわち、完成後にアンカーとして使用する予定の表面側に取り付けられている。
【００３５】
コンクリートの養生後、左方のホームタイ７と右方のホームタイ８を取り外す。さらにアンカー取り付け用Ｐコン４を取り外し、これにより露出した凹部には、図８の断面図に示すように脱着蓋６を嵌着する。
【００３６】
この場合、図９の部分断面図に示すように、当該脱着蓋６のＰコーン本体６ａの外周面に防水材１２、剥離シート１３、防水材１４の層を設けることが好適である。
【００３７】
また、図８に示すように、Ｐコン５も取り外し、これにより露出した凹部には、穴埋めモルタル１７を充填する。
【００３８】
以上によりマンション等の壁面等であるコンクリート躯体表面１８が完成する。その後、所定期間当該マンション等を使用することができる。
【００３９】
第３発明は、第２発明を前提とするアンカーの作用を有する型枠用セパレーター１の使用方法に関するものである。図１０、１１を参照する。
【００４０】
第２発明で得たマンション等の壁面等であるコンクリート躯体表面１８について、外装の補修などの工事が必要になった場合、図１１のごとく、図８に示した脱着蓋６を取り外し、アンカー部３における左方のネジ穴３ｃ（または３ｃ１）に、アンカーボルト１５を螺合連結する。そして、図１０の如く、このアンカーボルト１５を利用して例えばブラケット１９、足場２０等の作業用設備を設置する。そして、それらの作業用設備を利用して所望する工事を行なうことができる。
【図面の簡単な説明】
【００４１】
【図１】第１発明のアンカーの作用を有する型枠用セパレーターと、その両端に型枠を介して連結される公知のホームタイを示す展開側面図である。
【図２】(Ａ)は、図１のアンカー部の外観斜視図であり、(Ｂ)は(Ａ)のＡ−Ａ断面図である。
【図３】図１の脱着蓋の外観斜視図であり、
【図４】図１のアンカー取り付け用Ｐコンの外観斜視図である。
【図５】本発明の型枠用セパレーターの他の実施例を示す図１と同様の展開側面図である。
【図６】本発明の型枠用セパレーターの使用方法を示す側面図である。
【図７】本発明の型枠用セパレーターの使用方法を示す部分断面図である。
【図８】本発明の型枠用セパレーターの使用方法を示す断面図である。
【図９】脱着蓋の取り付け実施例を示す部分断面図である。
【図１０】本発明の型枠用セパレーターの使用方法を示す側面図である。
【図１１】本発明の型枠用セパレーターの使用方法を示す断面図である。
【符号の説明】
【００４２】
１  アンカー作用を有する型枠用セパレーター
２  セパレータ丸棒体
３  アンカー部
４  アンカー取り付け用Ｐコン
５  Ｐコン
６  脱着蓋
７、８  ホームタイ
９  型枠
１０  単管
１２、１４  防水材
１３  剥離シート
１５  アンカーボルト
１６  コンクリート
１７  穴埋め用モルタル
１８  コンクリート躯体表面
１９  ブラケット
２０  足場
【図１】
2007070879.tif 000003
【図２】
2007070879.tif 000004
【図３】
2007070879.tif 000005
【図４】
2007070879.tif 000006
【図５】
2007070879.tif 000007
【図６】
2007070879.tif 000008
【図７】
2007070879.tif 000009
【図８】
2007070879.tif 000010
【図９】
2007070879.tif 000011
【図１０】
2007070879.tif 000012
【図１１】
2007070879.tif 000013